(57)【要約】      （修正有）【課題】複数の種類のシートを重ね合わせたシート束に対して針を使用せずに綴じる綴じ方法による綴じ処理を行うか否かを適切に判断することを目的とする。【解決手段】ＣＰＵは、印刷設定に基づいて印刷部を制御してシートに画像を印刷するＳ１０１８。また、ＣＰＵは、シート処理部を制御し、画像が印刷されたシート束に対して綴じ処理を実行するＳ１０１９。ＣＰＵは、複数の種類のシートが混在するシート束に対して綴じ処理を行うことを許可するか否かを、上記混在するシートの組み合わせに応じて決定する。【選択図】図１０
2017074710.tif 000002
【特許請求の範囲】
【請求項１】
複数の種類のシートに画像を印刷可能な印刷手段と、
前記印刷手段によって画像が印刷されたシート束に針を使用せずに綴じる綴じ処理を行う綴じ手段と、
複数の種類のシートが混在するシート束に対して前記綴じ処理を行うことを許可するか否かを、前記混在するシートの組み合わせに応じて決定する決定手段と、
を備えることを特徴とする印刷装置。
【請求項２】
前記決定手段は、前記混在するシートの表面性が同じ場合は、前記綴じ手段による綴じ処理を許可すると決定し、前記混在するシートの表面性が同じでない場合は、前記綴じ手段による綴じ処理を行うことを許可しないと決定することを特徴とする請求項１に記載の印刷装置。
【請求項３】
前記決定手段は、前記混在するシートの表面性が同じ場合であっても、前記混在するシートの坪量が同じでない場合は、前記綴じ処理を行うことを許可しないと決定することを特徴とする請求項２に記載の印刷装置。
【請求項４】
前記綴じ処理が許可されるシートの種類の組み合わせを記憶する記憶手段を更に備え、
前記決定手段は、前記混在するシート束に対して前記綴じ処理を行うことを許可するか否かを、前記記憶手段に記憶された組み合わせに応じて決定することを特徴とする請求項１に記載の印刷装置。
【請求項５】
印刷処理の設定を受け付ける受付手段と、
当該印刷処理の設定として前記綴じ処理が設定されている場合は、印刷に使用するシートの設定として、前記綴じ処理を行うことが許可されない組み合わせのシートが混在した設定を受け付けないように制御する制御手段と、
を更に備えることを特徴とする請求項１乃至４のいずれか１項に記載の印刷装置。
【請求項６】
印刷処理の設定を受け付ける受付手段と、
当該印刷処理の設定として、前記綴じ処理を行うことが許可されない組み合わせのシートが混在して設定されている場合は、前記綴じ手段による綴じ処理の設定を受け付けように制御する制御手段と、
を更に備えることを特徴とする請求項１乃至４のいずれか１項に記載の印刷装置。
【請求項７】
前記綴じ手段は、シート束を第１の歯型及び第２の歯型の間に噛み込ませ、シート束を圧着して綴じる綴じ処理を行うことを特徴とする請求項１乃至６のいずれか１項に記載の印刷装置。
【請求項８】
請求項１乃至７のいずれか１項に記載の印刷装置と、情報処理装置とが接続された印刷処理システムであって、
前記印刷装置は、
受信した印刷データに基づいて前記印刷手段で印刷する画像を生成する生成手段を更に備え、
前記情報処理装置は、
印刷データに適用する印刷設定を受け付ける第２の受付手段と、
当該印刷データに適用する印刷設定として前記綴じ処理が設定されている場合は、印刷に使用するシートの設定として、前記綴じ処理を行うことが許可されない組み合わせのシートが混在した設定を受け付けないように制御する第２の制御手段と、
前記印刷設定を適用した印刷データを前記印刷装置に送信する送信手段と、
を更に備えることを特徴とする印刷処理システム。
【請求項９】
複数の種類のシートに画像を印刷可能な印刷工程と、
前記印刷工程で画像が印刷されたシート束に針を使用せずに綴じる綴じ処理を行う綴じ工程と、
複数の種類のシートが混在するシート束に対して前記綴じ処理を行うことを許可するか否かを、前記混在するシートの組み合わせに応じて決定する決定工程と、
を備えることを特徴とする印刷装置の制御方法。
【請求項１０】
請求項９に記載の印刷装置の制御方法をコンピュータに実行させるためのプログラム。
【発明の詳細な説明】
【技術分野】
【０００１】
本発明は、シートに画像を印刷し、印刷したシート束に対して綴じ処理を実行する印刷装置に関するものである。
【背景技術】
【０００２】
従来、画像を印刷した複数のシートに対し綴じ処理等の後処理を実行できる印刷装置が知られている。これらの印刷装置で、シートを綴じる方法としては、金属針を用いてシート束を綴じる方法が一般的である。一方、近年、シートを綴じる方法として、金属針を使用せず、歯型状の凹凸を有する凹凸部によってシート束を挟み込んでシートに凹凸を形成することにより、シートの繊維を絡めてシート束を締結する綴じ方法も考えられている（例えば、特許文献１）。
【先行技術文献】
【特許文献】
【０００３】
【特許文献１】特開２０１４−７６９０２号公報
【発明の概要】
【発明が解決しようとする課題】
【０００４】
金属針を用いてシート束を綴じる場合には、金属針でシート束を貫通させ針先を曲げてシートを金属片で挟み込むことで綴じる。従って、金属針を貫通できるシートであれば、複数種類のシートが混在していても綴じ不良は発生しない。
【０００５】
一方、シートの繊維を絡めて綴じる綴じ方法では以下のような原理で締結を行う。まず、凹凸部によってシート束を挟み込み、シートに圧力をかける。次に、当該圧力により各々のシートは凹凸部に沿って引き延ばされることにより、シート表面の繊維の絡まりがほぐれ、繊維の一部がシートの厚さ方向に毛羽立つ。この状態で圧力が継続してかけられることによって、シート同士の繊維が絡み合い、締結力が得られる。
【０００６】
ここで、表面性の異なる複数の種類のシートが混在していると、シートを構成する繊維の長さや太さが異なる場合がある。シートの厚さ方向に毛羽立った繊維の長さや太さが異なる場合、毛羽立った繊維同士が絡みづらく、綴じ不良が発生する恐れがある。
【０００７】
一方で、複数種類のシートが混在している場合であっても、シートの表面性などの特性が似ていれば、繊維が絡みやすく良好な締結力が得られる場合もある。
【０００８】
本発明は、上記の問題点を鑑みて、複数の種類のシートを重ね合わせたシート束に対してシートの繊維を絡めて綴じる綴じ方法による綴じ処理を行うか否かを適切に判断する仕組みを提供することを目的とする。
【課題を解決するための手段】
【０００９】
上記の目的を達成するために本発明の印刷装置は、複数の種類のシートに画像を印刷可能な印刷手段と、前記印刷手段によって画像が印刷されたシート束に針を使用せずに綴じる綴じ処理を行う綴じ手段と、複数の種類のシートが混在するシート束に対して前記綴じ処理を行うことを許可するか否かを、前記混在するシートの組み合わせに応じて決定する決定手段と、を備えることを特徴とする。
【発明の効果】
【００１０】
本発明によれば、複数の種類のシートを重ね合わせたシート束に対してシートの繊維を絡めて綴じる綴じ方法による綴じ処理を行うか否かを適切に判断することができる。
【図面の簡単な説明】
【００１１】
【図１】印刷処理システムを示すブロック図である。
【図２】ＭＦＰ１０１の断面図である。
【図３】針不使用綴じ部２１４ｂによる綴じ処理を説明する図である。
【図４】繊維の絡みによるシートの締結を説明する図である。
【図５】印刷に使用できるシートを管理するテーブルのデータモデルを示す図である。
【図６】操作部１１６に表示する画面の一例を示す図である。
【図７】操作部１１６に表示する画面の一例を示す図である。
【図８】操作部１１６に表示する画面の一例を示す図である。
【図９】操作部１１６に表示する画面の一例を示す図である。
【図１０】コピー設定の制御方法を示すフローチャートである。
【図１１】コピー設定の制御方法を示すフローチャートである。
【図１２】コピー設定の制御方法を示すフローチャートである。
【図１３】印刷データの一例を示す図である。
【図１４】印刷処理の制御方法を説明するフローチャートである。
【図１５】印刷に使用できるシートを管理するテーブルのデータモデルを示す図である。
【図１６】印刷処理の制御方法を説明するフローチャートである。
【発明を実施するための形態】
【００１２】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１３】
＜第１の実施形態＞
まず、本発明の第１の実施形態について説明する。図１は、本実施形態に係る印刷処理システムを示すブロック図である。本実施形態では印刷装置の一例としてＭＦＰ（Ｍｕｌｔｉｆｕｎｃｔｉｏｎ  Ｐｅｒｉｐｈｅｒａｌ）１０１を、情報処理装置の一例としてＰＣ（Ｐｅｒｓｏｎａｌ  Ｃｏｍｐｕｔｅｒ）１０２を説明する。ＭＦＰ１０１とＰＣ１０２はネットワーク１００を介して通信可能に接続されている。
【００１４】
なお、図１では、１つの情報処理装置が印刷処理システムに設けられた場合を例示しているが、ＭＦＰ１０１と複数のＰＣがネットワーク１００を介して通信可能に接続されていてもよい。また、本実施形態の印刷処理システムは、ＭＦＰ１０１とＰＣ１０２を含む場合を例示しているが、これに限定されるものではない。例えば、ＭＦＰ１０１のみを印刷処理システムと呼んでもよい。
【００１５】
まずＰＣ１０２について説明する。ＰＣ１０２は、アプリケーションプログラム等の各種のプログラムを実行することができる。また、ＰＣ１０２には、印刷データをプリンタに送信するためのプリンタドライバがインストールされている。印刷を行いたいユーザは各種のアプリケーションなどから印刷指示を行うことができる。プリンタドライバは、印刷指示に基づいて、アプリケーションが出力するデータをＭＦＰ１０１が解釈可能な印刷データに変換し、ネットワーク１００を介してＭＦＰ１０１に印刷データを送信することができる。
【００１６】
次に、ＭＦＰ１０１について説明する。ＭＦＰ１０１はシート上の画像を読み取る読取機能、シートに画像を印刷する印刷機能を有する。また、ＭＦＰ１０１は、画像が印刷された複数のシートを綴じる、複数のシート束を揃えて部ごとにシフトして排出するなどの後処理機能を有する。
【００１７】
なお、本実施形態では印刷装置の一例としてＭＦＰ１０１を説明するが、例えば、読取機能を有さないＳＦＰ（Ｓｉｎｇｌｅ  Ｆｕｎｃｔｉｏｎ  Ｐｅｒｉｐｈｅｒａｌ）等の印刷装置であってもよい。本実施例では、一例として印刷装置が以下に説明する各種構成要件を備えるものとする。
【００１８】
ＣＰＵ１１１を含む制御部１１０は、ＭＦＰ１０１全体の動作を制御する。ＣＰＵ（Ｃｅｎｔｒａｌ  Ｐｒｏｃｅｓｓｉｎｇ  Ｕｎｉｔ）１１１は、ＲＯＭ（Ｒｅａｄ  Ｏｎｌｙ  Ｍｅｍｏｒｙ）１１２又はストレージ１１４に記憶された制御プログラムを読み出して、読取制御や印刷制御などの各種制御を行う。ＲＯＭ１１２は、ＣＰＵ１１１で実行可能な制御プログラムを格納する。ＲＡＭ（Ｒａｎｄｏｍ  Ａｃｃｅｓｓ  Ｍｅｍｏｒｙ）１１３は、ＣＰＵ１１１の主記憶メモリであり、ワークエリア又は各種制御プログラムを展開するための一時記憶領域として用いられる。ストレージ１１４は、印刷データ、画像データ、各種プログラム、及び各種設定情報を記憶する。本実施形態ではストレージ１１４としてＨＤＤ（Ｈａｒｄ  Ｄｉｓｋ  Ｄｒｉｖｅ）等の補助記憶装置を想定しているが、ＨＤＤの代わりにＳＳＤ（Ｓｏｌｉｄ  Ｓｔａｔｅ  Ｄｒｉｖｅ又はＳｏｌｉｄ  Ｓｔａｔｅ  Ｄｉｓｋ）等の不揮発性メモリを用いるようにしても良い。
【００１９】
なお、本実施形態のＭＦＰ１０１では、１つのＣＰＵ１１１が１つのメモリ（ＲＡＭ１１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）等のハードウェア回路を用いて一部の処理を実行するようにしてもよい。
【００２０】
操作部インタフェース（Ｉ／Ｆ）１１５は、操作部１１６と制御部１１０を接続する。操作部１１６は、ユーザに対して情報を表示する表示部として機能する。また、操作部１１６はユーザからの指示を受け付ける受付部としても機能する。読取部Ｉ／Ｆ１１７は、読取部１１８と制御部１１０を接続する。読取部１１８はシート上の画像を読み取って、画像データを生成する。読取部１１８によって生成された画像データは外部装置に送信されたり、シート上に印刷されたりする。また、読取部１１８は、ＡＤＦ（Ａｕｔｏ  Ｄｏｃｕｍｅｎｔ  Ｆｅｅｄｅｒ）２４１に載置されたシートを流し読みして、複数枚のシートの画像を生成することもできる。
【００２１】
印刷部Ｉ／Ｆ１１９は、印刷部１２０と制御部１１０を接続する。シートに印刷する画像データは印刷部Ｉ／Ｆ１１９を介して制御部１１０から印刷部１２０に転送される。印刷部１２０は制御部１１０を介して制御コマンド及び印刷すべき画像データを受信し、当該画像データに基づいた画像をシート上に印刷する。
【００２２】
シート処理部Ｉ／Ｆ１２１は、シート処理部１２２と制御部１１０を接続する。シート処理部１２２は制御部１１０を介して制御コマンドを受信し、その制御コマンドに従って印刷部１２０により印刷されたシートに後処理を施す。例えば、複数のシートを揃えて綴じるなどの後処理を実行する。
【００２３】
また、制御部１１０は、通信部Ｉ／Ｆ１２３を介してネットワーク１００に接続される。通信部Ｉ／Ｆ１２３は、ネットワーク１００上の外部装置に画像データや情報を送信したり、ネットワーク１００上の情報処理装置から印刷データや情報を受信したりする。通信部Ｉ／Ｆ１２３によって受信された印刷データはストレージ１１４に格納される。
【００２４】
通信部Ｉ／Ｆ１２３を介して受信した印刷データは、ストレージ１１４又はＲＯＭ１１２に格納された印刷データを解析するためのソフトウェアモジュール（ＰＤＬ解析部、不図示）によって解析される。ＰＤＬ解析部は、ストレージ１１４に格納された様々な種類のページ記述言語（ＰＤＬ：Ｐａｇｅ  Ｄｅｓｃｒｉｐｔｉｏｎ  Ｌａｎｇｕａｇｅ）で表現された印刷データを解析する。
【００２５】
ＰＤＬ解析部は印刷データを解析して得られた印刷属性に関する設定（印刷属性情報）をＲＡＭ１１３又はストレージ１１４に一時的に格納する。なお、印刷属性情報としては、少なくとも印刷に使用するシートに関する情報や後処理に関する情報などが含まれているものとする。また、ＰＤＬ解析部は、印刷データに含まれた描画コードを解析して、中間コードへ変換する。
【００２６】
また、ＰＤＬ解析部で生成された中間コードはＲＩＰ（Ｒａｓｔｅｒ  Ｉｍａｇｅ  Ｐｒｏｃｅｓｓｏｒ）１２５によって画像データに変換される。ＲＩＰ１２５は、ＰＤＬ解析部によって生成された中間コードに対してレンダリング処理を行い、印刷部１２０で印刷する画像データを生成する。ＲＩＰ１２５によって生成された画像データは、印刷設定に基づいて印刷部１２０で印刷される。
【００２７】
次に、シートへの印刷処理及び後処理について説明する。図２は、ＭＦＰ１０１の断面図である。図２では、シート処理部１２２がＭＦＰ１０１に隣接するように接続されている。ただし、シート処理部１２２の配置は図３の例に限らない。例えば、シート処理部１２２がＭＦＰ１０１の筐体内部にインナーフィニッシャとして配置されていてもよい。
【００２８】
給紙部２３２は、４つのカセット（２３２ａ〜２３２ｄ）を含み、各カセットは同一又は互いに異なる種類のシートを保持することができる。なお、各カセットに保持されているシートの種類は、予めＭＦＰ１０１の管理者又はユーザによりカセットごとに設定されているものとする。なお、ＭＦＰ１０１が、給紙部２３２として給紙デッキや手差しトレイを備えていても良い。
【００２９】
印刷部１２０は、給紙部２３２から給送されてきたシートの第１面に画像を印刷する。なお、印刷部１２０の印刷方式は、電子写真方式であってもよいし、インクジェット方式であってもよい。また、その他の印刷方式を適用することもできる。
【００３０】
片面印刷の場合には、印刷されたシートは搬送ローラに導かれシート処理部１２２に搬送される。一方、両面印刷の場合には、第１面が印刷されたシートは不図示の反転パスによって反転され、再度印刷部１２０に搬送される。印刷部１２０は、シートの第２面に画像を印刷する。両面印刷されたシートは片面印刷の場合と同様に搬送ローラに導かれシート処理部１２２に搬送される。
【００３１】
印刷部１２０によって片面又は両面に印刷がなされたシートは、シート給送口２０１を介してシート処理部１２２内の搬送パス上に搬送される。搬送されたシートは、搬送経路切り替えフラッパ２０２によって、排出トレイ２０３、２０４のいずれかに向かう搬送経路に誘導され、搬送される。
【００３２】
排出トレイ２０３方向へ搬送されたシートはそのまま排出トレイ２０３に排出される。一方、２０４方向へ搬送されたシートは、搬送ローラに導かれ、中間トレイ２０８へ排出される。中間トレイ２０８は、シートの排出方向に対して下流側（図の左側）を鉛直方向の上方に、上流側（図の右側）を鉛直方向の下方に位置させることで傾斜が設けられており、複数のシートを保持することができる。
【００３３】
また、中間トレイ２０８は、下流側に配された１組の上部及び下部の束排出ローラ２２３ａ、２２３ｂからなる束排出ローラ対２２３と、中間部上方に配される引込みパドル２２２とを有している。上部束排出ローラ２２３ａは、ガイド２２４に支持されている。
【００３４】
このガイド２２４は、モータ（不図示）により上下に移動可能に構成されている。このため、ガイド２２４に設けられた上部束排出ローラ２２３ａが、ガイド２２４の昇降動作に伴って下部束排出ローラ２２３ｂに対して離接可能となっている。従って、中間トレイに保持されたシート束の厚みに応じて、これら束排出ローラ対２２３のローラの間隔を調整可能になっている。
【００３５】
シート処理部１２２は、上部束排出ローラ２２３ａに対して下部束排出ローラ２２３ｂを離間した状態となるようにガイド２２４を上部に移動させた状態でシートを中間トレイ２０８上に受け入れる。
【００３６】
また、中間トレイ２０８上の、シートの搬送方向に直交する幅方向の手前側と奥側には、整合部材２２１が設けられる。ここで、「手前」とは、図２に記載されている向きでＭＦＰ１０１を見て紙面手前になる部分を言い、「奥」とは、紙面奥の部分を言う。引込みパドル２２２は、回転軸を中心としてストッパ２２５側へシートを押圧する方向（例えば図２においては反時計周り）に回転する。
【００３７】
中間トレイ２０８に排出されたシートは、中間トレイ２０８の傾斜及び引込みパドル２２２の回転によって、中間トレイ２０８の積載面上、又は中間トレイ２０８に積載されたシート上を滑降する。中間トレイ２０８上に排出されたシートは、滑降中に整合部材２２１によって整合処理が施され、シート後端（排出方向上流端）が中間トレイ２０８のストッパ２２５に突き当たることで停止する。
【００３８】
中間トレイ２０８上で整合されたシート束は、必要に応じて針使用綴じ部２１４ａ又は針不使用綴じ部２１４ｂによる綴じ処理が行われる。綴じ部２１４ａ及び２１４ｂは中間トレイ２０８上で整合されたシート束の搬送方向に対する後端部を綴じることができる。
【００３９】
針使用綴じ部２１４ａ及び針不使用綴じ部２１４ｂは、シート束の搬送方向と直交する方向（図２における紙面手前側、紙面奥側）にスライド可能に構成されている。シート処理部１２２は不図示のモータを駆動して、針使用綴じ部２１４ａ又は２１４ｂを搬送方向と直交する方向に移動してシート束の搬送方向に対する後端部のコーナーを綴じたり、後端の２箇所を綴じたりすることができる。従って、本実施形態では、綴じ部の移動と印刷する画像の上下回転（１８０度回転）を組み合わせてシート束の所定の位置に綴じ処理を行うことができる。なお、本実施形態ではシート束の搬送方向に対する後端部を綴じるようにしているが、これに限定されない。例えば、中間トレイ２０８上に保持されたシート束の搬送方向に対する先端部を綴じるようにしてもよい。
【００４０】
シート処理部１２２によって綴じ処理などの後処理が行われたシート束は、排出トレイ２０４に排出される。具体的には、束排出ローラ２２３ａを中間トレイ２０８上の最上部のシートに当接させるようにガイド２２４を移動させ、当接した状態で、束排出ローラ対２２３を回転駆動させることにより、後処理を終えたシート束を排出トレイ２０４に排出する。なお、排出トレイ２０４ａ及び２０４ｂは不図示のモータにより上下にスライド可能に構成されており、中間トレイ２０８から排出されるシート束は２０４ａ及び２０４ｂのいずれかの上に排出されるものとする。
【００４１】
なお、本実施形態では、ＭＦＰ１０１が針使用綴じ部２１４ａと針不使用綴じ部２１４ｂの両方を備える場合を例示しているがこれに限定されるものではない。少なくとも針不使用綴じ部を備えている印刷装置であれば、本実施形態を適用できる。
【００４２】
まず、針使用綴じ部２１４ａによる綴じ処理について説明する。針使用綴じ部２１４ａでは、中間トレイ上に整合されたシート束に金属針を貫通させた後に、針先を曲げこんでシート束を金属片で挟み込むことで綴じる。従って、金属針を貫通できるシートであれば、綴じ不良は発生しない。なお、例えば、本実施形態の針使用綴じ部２１４ａは、坪量２５６ｇ／ｍ２以下のシートに対して綴じ処理を行えるものとする。
【００４３】
次に、針不使用綴じ部２１４ｂによる綴じ処理について説明する。針不使用綴じ部２１４ｂでは、複数のシートの上下から圧力をかけて、シート同士の繊維を互いに絡ませることで綴じる。
【００４４】
図３は、針不使用綴じ部２１４ｂによる綴じ処理を説明する図である。本実施形態では、複数のシートの上下から圧力をかけて、シートＰの繊維を絡ませることでシート同士を圧着して綴じる。
【００４５】
上金型３０１は複数のシートを上から押さえつける。上金型３０１には複数の歯形状の凹凸を有する凹凸部である上歯３１０が取りつけられている。一方、下金型３０２は複数のシートを下から押さえつける。下金型３０２には、複数の歯形状の凹凸を有する凹凸部である下歯３１１が取りつけられている。なお、下歯３１１は谷型形状を、上歯３１０は山型形状を有しており、この一対の下歯３１１及び上歯３１０は、複数の凹凸である歯が互いに噛み合うように配置されている。
【００４６】
シート処理部１２２は、不図示のスライド機構及びモータを制御して、上歯３１０をシートの厚さ方向に移動させることで、上歯３１０を下降させて下歯３１１と噛合させ、シートを加圧する。このようにシート同士が加圧されると、シートＰは引き延ばされることによってシート表面の繊維がシートの厚さ方向に毛羽立つ。また、この状態で更に加圧されることにより、シート同士の繊維が互いに絡み合うことで締結される。
【００４７】
ここで、針不使用綴じ部２１４ｂによる綴じ処理を行う場合の繊維の絡み方について、図４を用いて説明する。図４は、シートの繊維同士の絡み合いを説明する図である。図４（ａ）は、針不使用綴じ部２１４ｂにより綴じられたシートの状態を示している。また、図４（ｂ）は、歯形の上視図であり、ハッチングされた領域は、歯形の斜面部を示している。
【００４８】
図４（ａ）に示すように、上歯３１０と下歯３１１の間には綴じ処理されるシートＰ１及びＰ２が挟まれている。この状態で、上歯３１０が下降すると、歯型の斜面部がシートＰ１、Ｐ２を高圧で押圧することになり、シートＰ１、Ｐ２には力が加わる。この力により、シート表面からシートを構成する繊維の一部がシートの厚さ方向に毛羽立った状態となる。更に、圧力により、シートの厚さ方向に毛羽立った繊維同士が互いに絡まることになる。そして、この後も所定時間の間、高圧で押圧されることによりＰ１、Ｐ２の繊維同士が締結されていく。
【００４９】
図４（ｃ）は、繊維の絡みを模式的に示した拡大図である。ある歯型の斜面Ａ部では、シートＰ１、Ｐ２の繊維Ｐ１’、Ｐ２’が、矢印Ｂ方向に押圧されながら絡まっているために、繊維は図中の縦方向Ｙに絡むことになる。このためシートＰ１、Ｐ２の締結力は、歯の移動方向であるＹ方向には強いが、繊維の絡まっているＸ方向には弱くなる。
【００５０】
このように、針不使用綴じ部２１４ｂでは、シート表面の繊維を絡めて綴じるため、シートの坪量や表面性の影響を大きく受ける。従ってシートの特性によっては、綴じ処理を行えない場合がある。
【００５１】
次に、ＭＦＰ１０１で使用できる（ＭＦＰ１０１で印刷可能な）シートと綴じ処理の関係について説明する。図５は、ＭＦＰ１０１で使用できるシートを管理するテーブル（以下、管理テーブルと呼ぶ）のデータモデルを示す図である。テーブル内には、ＭＦＰ１０１で使用できるシートの種類ごとにシートの坪量、表面性、色など、シートの素材に関する項目群５１８が参照可能に格納される。また、シートの種類ごとに、ＭＦＰ１０１が備える後処理を適用することができるシートか否かに関する項目群５２１が参照可能に格納される。ＣＰＵ１１１は、後述するフローチャートにおいて、図５の管理テーブルの情報を適宜参照する。
【００５２】
シートＩＤ情報５０１は、シートの種類ごとに一意に割り振られるインデックスを格納するフィールドである。名称５０２は、シートの名称を格納するフィールドである。シートの名称は、シートの種類を表示する場合などに使用される。なお、シートＩＤ情報５０１とシートの名称５０２は、シートの種類を識別するための情報である。
【００５３】
次に、シートの素材に関する項目群５１８について説明する。色情報５０３は、シートの色に関する情報を格納するフィールドである。色情報５０３のフィールドには、白、ピンク、黄、透明など、色の名称が格納される。
【００５４】
坪量５０４は、シートの単位面積あたりの重さを格納するためのフィールドである。坪量の数値が大きいシートほど重く、数値が小さいシートほど軽い。また、坪量はシートの厚さと相関があり、厚いシート（例えば厚紙）は、坪量が大きく、薄いシート（薄紙）は、坪量が小さい。
【００５５】
次に、表面性５０５は、シートの表面性に関する情報を格納するためのフィールドである。表面性の情報としては、上質紙、コート、フィルム、再生紙などの情報が格納されるものとする。なお、本実施形態では上質紙は、表面に塗料が塗布されていない汎用のシートであることを示している。コートは、表面に塗料が塗布されているシートであることを示している。また、フィルムは、プラスチック等の素材で作られており、平滑度が高いシートであることを示している。再生紙は、表面に塗料が塗布されていない、再生処理がなされたシートであることを示している。再生紙には、古紙由来の繊維が含まれており、シートを構成する繊維が上質紙に比べて短いものが多い。また、平滑度も上質紙に比べて低いことが多い。
【００５６】
次に、形状５０６は、シートの形状を識別するための情報を格納するフィールドである。ノーマル、タブ（耳）を有するタブ、封筒、あるいは予め用紙の端部にパンチ処理が施してあるパンチなどが格納される。
【００５７】
針綴じ情報５０７は、針使用綴じ部２１４ａによる綴じ処理が許可されるシートであるか否かに関する情報を格納するためのフィールドである。針使用綴じ処理を行うことが許可される種類のシートであれば、○が格納されている。針使用綴じ処理を行うことが許可されない種類のシートであれば×が格納される。
【００５８】
ここでは、針使用綴じ部２１４ａでサポートできない坪量のシート（例えば、坪量が２５６ｇ／ｍ２を超えるシート）や綴じ処理を行うことが不適切な種類のシートに×が格納されている。綴じ処理を行うことが不適切な種類のシートの一例として封筒がある。図５を見ると封筒の坪量は、１５０ｇ／ｍ２であり、針使用綴じ部２１４ａで物理的に綴じ処理を行えるシートである。しかしながら、封筒は内部に用紙などを格納するためのものであるため、ユーザが封筒自身に綴じ処理を行うことは考え辛い。従って針使用綴じ処理が行われないように、針綴じ部２１４ａでの綴じ処理を許可しないようにしている。なお、フィルムやハガキ（不図示）などのシートも同様である。
【００５９】
次に、針なし綴じ情報５０８は、針不使用綴じ部２１４ｂによる綴じ処理が許可されるシートであるか否かに関する情報を格納するためのフィールドである。針使用綴じ処理を行うことが許可される種類のシートであれば○が格納されている。針使用綴じ処理を行うことが許可されない種類のシートであれば×が格納される。
【００６０】
ここでは、綴じ部２１４ｂの綴じ処理において綴じ不良となるシートや綴じ処理を行うことが不適切な種類のシートに×が格納されている。
【００６１】
針不使用綴じ部２１４ｂで綴じ不良となるシートの一例としてコート紙や厚紙がある。コート紙には、表面に塗料が塗布されている。従って、シートが引き延ばされる際に、塗料の影響でシート表面の繊維が毛羽立ちにくい。従って、十分な締結力が得られない場合がある。また、厚紙の場合には、歯形の斜面部にかかる圧力が不足し、十分な締結力が得られない場合がある。このように、本実施形態では、綴じ処理を行う場合に、十分な締結力が得られない恐れがあるシートに対する針不使用綴じ処理を行うことを許可しないようにしている。
【００６２】
なお、５０１〜５０８は管理テーブルに格納される情報の一例であり、更にこの他の情報を管理していてもよい。例えば、シートの素材に関する項目群５１８として更に詳しい情報が含まれていても良い。具体的には、シートの厚さ情報や、すき目の方向（繊維配向が縦方向であるか横方向であるか）、シートの力学的特性（引張剛性、曲げ剛性、摩擦係数など）の情報が含まれていてもよい。また、管理テーブルは、図示しないその他の種類のシートについても管理しているものとする。
【００６３】
更に、ＭＦＰ１０１が他の後処理機能を備えている場合、他の後処理が許可されるシートであるか否かの情報が含まれていてもよい。具体的にはＭＦＰ１０１がパンチ穴を空けるパンチャや、シートに筋を付けるクリーサなどを備えている場合は、各々の後処理が許可されるか否かの情報が含まれていても良い。
【００６４】
ここで、複数の種類のシートが重なり合ったシート束に対して綴じ処理を行うことを考える。針使用綴じ部２１４ａによる綴じ処理を行う場合は、針使用綴じ部２１４ａによる綴じ処理が許可される種類のシートであれば、複数の種類のシートが混在していたとしても綴じ不良は発生しない。これは、針使用綴じ部２１４ａによる綴じ処理では、金属針をシート束に貫通しさえすれば、シート束を金属辺で挟み込めるからである。従ってＣＰＵ１１１は、シートの混在を許すように制御すればよい。
【００６５】
一方、針不使用綴じ部２１４ｂによる綴じ処理では、それぞれが針不使用綴じ部２１４ｂによる綴じ処理が許可されるシートであったとしても、複数の種類のシートが混在している場合には、シート同士の繊維が絡みづらく、綴じ不良が発生する恐れがある。
【００６６】
例えば、表面性の異なるシートが混在している場合には、各々のシートを構成する繊維の長さや太さが異なる場合がある。この場合、毛羽立った繊維同士が絡みづらく、綴じ不良が発生する恐れがある。更に、シートの表面性、坪量などが異なるシートが混在している場合には、各々のシートへの圧力のかかり方及び引き延ばされ方がシートごとに異なり、シートの繊維がシートの厚さ方向に毛羽立ち辛い場合がある。また、表面性、坪量などが異なるシートが混在している場合には、シートの厚さ方向に毛羽立った繊維の長さや太さが異なりシート同士の繊維が絡みづらく、綴じ不良が発生する恐れがある。具体的な例としては、普通紙１と薄紙が混在する場合や、普通紙１と再生紙が混在する場合には綴じ不良が発生する恐れがある。
【００６７】
一方、例えば、シートの色情報又は形状は異なるが、表面性及び坪量が同じシートが混在している場合には、表面性や坪量が同じシートであるため、各々のシートへの圧力のかかり方や引き延ばされ方は均一に近い。従ってこれらの組み合わせの場合、良好な締結力が得られると考えられる。
【００６８】
これを鑑みて、本実施形態では、シートの繊維を絡めて綴じる綴じ方法による綴じ処理を行う場合に、綴じ不良の発生を防止するように印刷設定制御及び印刷制御を行うことについて説明する。
【００６９】
ユーザがＭＦＰ１０１の使用を開始すると、実行する処理を選択するためのホーム画面（不図示）が表示される。ユーザは操作部１１６を介してコピー機能や送信機能などのＭＦＰ１０１が備える機能を選択することができる。
【００７０】
ユーザがホーム画面（不図示）を介してコピー機能を選択すると、ＣＰＵ１１１は操作部１１６にコピージョブの設定画面を表示する。なお、コピージョブの設定は、多数の設定項目がある。そのため同一画面内で全ての設定を行うことは困難である。従って設定項目ごとに個別の設定画面に遷移して、複数の機能の設定を行うものとする。
【００７１】
図６は、ＣＰＵ１１１が操作部１１６に表示する操作画面を説明する図である。なお、図６では、ユーザが操作部１１６を介して、既に綴じ処理に関する設定や表紙に関する設定が行われた後の画面を例示している。
【００７２】
印刷設定制御の具体的な制御を説明する前に、まず、コピーの設定について説明する。仕上げキー６０１は、コピー処理に対して仕上げ処理（後処理）を設定する場合に使用するキーである。なお、図６では、仕上げ処理として、針不使用綴じ処理が設定された場合を例示している。図７（ａ）、（ｂ）は、仕上げ処理に関する設定画面の一例を示す図である。仕上げ処理とは、出力される印刷物に対する加工処理全般を指す。ここでは綴じ処理に関係する加工処理を例示しているが、これに限定されず、他の後処理（例えば、グループソート、シフトソートなど）などの設定を含んでいてもよい。
【００７３】
ＣＰＵ１１１は、仕上げキー６０１が選択されたと判断すると、仕上げ処理を設定する画面を表示する。図７（ａ）は仕上げ処理を設定する画面の一例を示すものであり、針不使用綴じキー７０１が選択された状態を示している。
【００７４】
コーナー綴じキー７０２は、針を使用してシート束の４隅（右上、左上、左下及び右下）のコーナーいずれかに綴じ処理を行う場合に使用するキーである。また、ダブル綴じキー７０３は、針を使用して印刷物のいずれか１辺の２箇所に綴じ処理を行う場合に使用するキーである。針不使用綴じキー７０１は針を使用せずに、シート束間の繊維を絡めて、シート束の４隅（右上、左上、左下及び右下）のコーナーいずれかに綴じ処理を行う場合に使用するキーである。
【００７５】
針不使用綴じキー７０１、コーナー綴じキー７０２、ダブル綴じキー７０３は排他設定であり、いずれか１つのキーを選択できる。また、いずれのキーも選択されない場合は、後処理を行わずに出力する設定となる。
【００７６】
次へキー７１１は、綴じ処理の位置を指定する際に使用するキーである。ＣＰＵ１１１は次へキー７１１が押下された場合には、綴じ位置設定画面（不図示）を表示し、綴じ位置の指定を受け付ける。ＣＰＵ１１１は、綴じ位置設定画面を介して綴じ位置の設定を受け付けると、当該受け付けた設定をコピーの仕上げ設定として適用してコピーの設定画面（図６）に戻る。
【００７７】
図６の説明に戻り、シート選択キー６０２は、印刷に使用するシートの種類を選択する場合に使用するキーである。ここでは、１つ目のカセット２３２ａが保持する普通紙１が印刷に使用するシートとして選択されている場合を例示している。
【００７８】
ＣＰＵ１１１は、シート選択キー６０２が選択された場合は、シートを選択する画面を表示する。図８（ａ）、（ｂ）は、ＣＰＵ１１１が操作部１１６に表示する操作画面の一例を示す図であり、シートの種類を選択するための画面の一例を示す。図８（ａ）では、行８０１に示す普通紙１（８０〜９４ｇ／ｍ２）が選択された状態を例示している。ユーザは図８（ａ）、（ｂ）の画面を介して印刷に使用するシートの種類を選択することができる。ＯＫキー８０７は、画面を介してなされたシートの種類を適用する場合に使用するキーである。ＣＰＵ１１１は、ＯＫキー８０７が選択された場合は、選択されたシートの種類をコピーに使用するシートの設定として適用して、コピーの設定画面（図６）に戻る。なお、図８（ｂ）に示す８１１は、グレーアウトされており同画面において選択不可能な状態を示している。グレーアウトに関しては後述のフローチャートにて説明する。
【００７９】
次に、印刷時に複数の種類のシートが混在する設定の一例として、表紙設定について説明する。表紙キー６０３は、印刷物にオモテ表紙やウラ表紙を設定する場合に使用するキーである。ユーザは、この機能を使用して、オモテ表紙やウラ表紙に本文のシートと違う種類や色のシートを指定することができる。図６では、オモテ表紙を付加する設定がなされている場合を例示している。
【００８０】
ＣＰＵ１１１は、表紙キー６０３が選択された場合は、表紙に関する設定画面を表示する。図９（ａ）、（ｂ）は、ＣＰＵ１１１が操作部１１６に表示する操作画面の一例を示す図であり、表紙に関する設定を行うための画面の一例を示す。図９（ａ）では、オモテ表紙として、カセット２３２ｄが保持する色紙（８０〜９４ｇ／ｍ２）が選択された状態を例示している。なお、ＭＦＰ１０１の給紙カセットには、普通紙１、薄紙１、再生紙１及び色紙が保持されている場合を例示している。
【００８１】
オモテ表紙キー９０１は印刷物にオモテ表紙を付ける場合に使用するためのキーである。「プリントしない」キー９０２は、表紙のシートに画像を印刷しない場合に選択するキーである。なお、ユーザは、「オモテにプリントする」キーや「ウラにプリントする」キーを選択して、オモテ表紙のいずれかの面に画像を印刷するようにもできる。また、ユーザは「両面にプリントする」キーを選択してオモテ表紙の両面に画像を印刷するようにもできる。また、ユーザは、ウラ表紙キーを使用して、後述するオモテ表紙の設定と同様の操作でウラ表紙に関する設定を行うこともできる。
【００８２】
領域９０３は、オモテ表紙として指定されているシートの種類をユーザに通知するための領域である。変更キー９０４は、オモテ表紙に使用するシートの種類を変更する際に使用するキーである。ＯＫキー９０５はオモテ表紙の設定を適用する場合に使用するキーであり、設定取消キー９０６はオモテ表紙の設定を取り消す場合に使用するキーである。ＣＰＵ１１１は、ＯＫキーが選択された場合は、画面を介して受け付けた表紙に関する設定をコピーの設定として適用して、コピーの設定画面に戻る。一方、ＣＰＵ１１１は、設定取消キー９０６が選択された場合は、画面を介して受け付けた表紙に関する設定を破棄して、コピーの設定画面に戻る。
【００８３】
一方、ＣＰＵ１１１は、変更キー９０４が選択された場合は、オモテ表紙に使用するシートを選択する画面を表示する。図９（ｂ）は、オモテ表紙又はウラ表紙に使用するシートの種類を選択するための画面の一例を示す。ユーザは図９（ｂ）の画面を介して印刷に使用するシートの種類を選択することができる。なお本実施形態では、印刷処理によって得られる印刷物に含まれるシートを、印刷に使用するシートと呼ぶものとする。従って、図９（ａ）の画面を介してプリントしない表紙が設定された場合にも、当該表紙として設定されたシートは印刷に使用するシートに含まれているものとする。
【００８４】
ＯＫキー９１２は、画面を介して選択された設定を適用する場合に使用するキーである。ＣＰＵ１１１はＯＫキー９１２が押下されたと判断すると、画面を介してなされた設定を一時的にＲＡＭ１１３に記憶し、図９（ａ）の画面に遷移する。なお、図９（ｂ）に示す９１１は、グレーアウトされており同画面において選択不可能な状態を示している。グレーアウトに関しては後述のフローチャートにて説明する。
【００８５】
次に、綴じ不良の発生を防止するためにコピー設定の排他制御を行うことについて説明する。図１０乃至図１２は、コピー処理の制御を示すフローチャートである。図１０乃至図１２に示すフローチャートの各動作（ステップ）は、ＣＰＵ１１１がＲＯＭ１１２又はストレージ１１４に記憶された制御プログラムをＲＡＭ１１３に読み出し、実行することにより実現される。
【００８６】
ここで、ユーザが複雑な操作を遷移してコピー設定を行う場合、ユーザは、所望のコピー設定を行うために、一度設定した項目の設定取消や変更など、複雑な画面遷移を行う場合がある。図１０では、組み合わせると不都合な設定を排他処理する一例として、綴じ設定、表紙に関する設定及び印刷に使用するシートの設定に関する設定指示がなされた場合の処理について説明する。
【００８７】
ＣＰＵ１１１は、ユーザがホーム画面（不図示）を介してコピー機能を選択した場合に図１０のフローチャートに対応する制御を実行する。
【００８８】
ステップＳ１００１では、ＣＰＵ１１１はコピーの設定画面を表示し、設定画面を介して設定指示を受け付ける。設定画面を介して設定指示を受け付けると、ステップＳ１００２に進む。
【００８９】
ステップＳ１００２では、ＣＰＵ１１１は、ステップＳ１００１で受け付けた設定指示が綴じ設定の変更指示であるか判断する。綴じ設定の変更指示がなされた場合は、ステップＳ１００３に進み、綴じ設定の変更指示がなされていない場合は、ステップＳ１００６に進む。
【００９０】
ステップＳ１００３では、ＣＰＵ１１１は、綴じ設定前のチェックを行う。具体的な処理については、図１１のフローチャートにて説明する。
【００９１】
ステップＳ１００４では、ＣＰＵ１１１は、ステップＳ１００３のチェックによって制限対象とされた綴じ処理をグレーアウトした綴じ設定に関する画面を表示する。図７（ｂ）は制限対象とされた綴じ処理をグレーアウトした綴じ設定画面の一例を示すものである。次にステップＳ１００５では、ＣＰＵ１１１は、操作部１１６を介して、綴じ処理の種類及び綴じ位置の設定を受け付ける。ＣＰＵ１１１は、綴じ処理に関する設定を受け付けると、ステップＳ１００４で表示した綴じ処理に関する画面を閉じる。また、ＣＰＵ１１１は、操作部１１６にコピーの設定画面を表示して、ステップＳ１０１７に進む。
【００９２】
ステップＳ１００６では、ＣＰＵ１１１は、ステップＳ１００１で受け付けた設定指示がシート設定の変更指示であるか判断する。シート設定の変更指示がなされた場合は、ステップＳ１００７に進み、シート設定の変更指示がなされていない場合は、ステップＳ１０１０に進む。
【００９３】
ステップＳ１００７では、ＣＰＵ１１１は、シート設定前のチェックを行う。具体的な処理については、図１２のフローチャートにて説明する。
【００９４】
ステップＳ１００８では、ＣＰＵ１１１は、ステップＳ１００７のチェックによって制限対象とされた給紙カセットをグレーアウトしたシート設定画面を表示する。図８（ｂ）は、制限対象とされた給紙カセットをグレーアウトしたシート設定画面の一例を示している。
【００９５】
ステップＳ１００９では、ＣＰＵ１１１は、印刷に使用するシートに関する設定を受け付けると、ステップＳ１００８で表示したシート設定画面を閉じる。また、ＣＰＵ１１１は、コピーの設定画面を表示して、ステップＳ１０１７に進む。
【００９６】
一方、ステップＳ１０１０では、ＣＰＵ１１１は、ステップＳ１００１で受け付けた設定指示が表紙設定の指示であるか判断する。表紙設定の指示がなされた場合は、ステップＳ１０１１に進み、表紙設定の指示がなされていない場合は、ステップＳ１０１４に進む。
【００９７】
ステップＳ１０１１では、ＣＰＵ１１１は、ステップＳ１００７と同様のシート設定前のチェックを行う。ステップＳ１０１２では、ＣＰＵ１１１は、ステップＳ１０１１のチェックによって制限対象とされた給紙カセットをグレーアウトした表紙設定画面を表示する。図９（ｂ）は、制限対象とされた給紙カセットをグレーアウトした表紙設定画面の一例である。
【００９８】
ステップＳ１０１３では、ＣＰＵ１１１は、表紙に関する設定を受け付けると、ステップＳ１０１３で表示した表紙設定画面を閉じる。また、ＣＰＵ１１１は、コピーの設定画面を表示して、ステップＳ１０１７に進む。ステップＳ１０１４では、ステップＳ１００１で受け付けた設定指示がその他の設定の変更指示であるか判断する。その他の設定の変更指示がなされた場合は、ステップＳ１０１５に進み、綴じ設定の変更指示がなされていない場合は、ステップＳ１０１７に進む。
【００９９】
ステップＳ１０１５では、ＣＰＵ１１１は、その他の指示に基づく設定画面（不図示）を表示する。ステップＳ１０１６では、その他の指示に基づく設定を受け付けると、当該設定画面を閉じ、コピーの設定画面を表示してステップＳ１０１７に進む。
【０１００】
ＣＰＵ１１１は、ステップＳ１００５、Ｓ１００９、Ｓ１０１３、及び、Ｓ１０１６のいずれかでコピーに関する設定を受け付けると、ステップＳ１０１７の処理に進む。
【０１０１】
ステップＳ１０１７では、ＣＰＵ１１１は、操作部１１６に備えられたスタートキー（不図示）が押下されたか判断する。スタートキーが押下された場合は、ステップＳ１０１８に進み、コピー設定に基づいた印刷処理を開始する。一方、スタートキーが押下されない場合は、ステップＳ１００１に戻る。
【０１０２】
ステップＳ１０１８では、ＣＰＵ１１１は、読取部１１８を制御して、原稿上の画像を読み取る。また、ＣＰＵ１１１は、印刷部１２０を制御し、シートに読み取った画像を印刷するコピー処理を行う。全ての原稿に基づく画像が印刷されるとステップＳ１０１９に進む。なお、印刷されたシートは、中間トレイ２０８に排出されるものとする。
【０１０３】
ステップＳ１０１９では、ＣＰＵ１１１は、印刷部によって印刷され、中間トレイ２０８に排出されたシート束に対して、設定に応じた後処理を行う。ＣＰＵ１１１は、針不使用綴じ処理が指定されている場合は、針不使用綴じ部２１４ｂを制御して、歯型状の凹凸を有する凹凸部によりシート束を挟み込み、シート束を締結する処理を行う。一方、ダブル綴じ処理又は、コーナー綴じ処理が指定されている場合は、針使用綴じ部２１４ａを制御して針でシート束を貫通させ綴じる綴じ処理を行う。綴じ処理が完了すると、ＣＰＵ１１１は、シート処理部１２２を制御して、シート束をトレイ２０４に排出し、コピー処理を終了する。
【０１０４】
次に、ステップＳ１００３の綴じ設定前のチェックの具体的な処理について図１１のフローチャートを用いて説明する。
【０１０５】
ステップＳ１１０１では、ＣＰＵ１１１は、コピーの設定を参照し、印刷に必要なシートの種類を取得する。具体的には、シート設定画面（図８）や表紙設定画面（図９）などを介して印刷に使用するシートが先に設定されている場合は、当該設定されたシートのシートＩＤ（又はシートの種類）を取得する。また、ＣＰＵ１１１は、印刷に複数の種類のシートが設定されている場合は、複数のシートＩＤを取得するものとする。また、印刷に使用するシートを自動で選択するＡＰＳ（Ａｕｔｏ  Ｐａｐａｅｒ  Ｓｅｌｅｃｔ）機能が指定されている場合など、印刷に使用するシートが決まっていなければ、印刷に使用するシートが未定であることを記憶する。例えば、印刷に使用するシートとして普通紙１が、表紙として色紙が設定されている場合には、印刷に必要なシートは、シートＩＤ１の普通紙１（８０〜９４ｇ／ｍ２）とシートＩＤ２の色紙（８０〜９４ｇ／ｍ２）の２つとなる。
【０１０６】
ステップ１１０２では、ＣＰＵ１１１は、針使用綴じ部２１４ａによる綴じ処理が許可されないシートが設定されているか否か判断する。具体的には、ＣＰＵ１１１は、ステップＳ１１０１で取得したシートＩＤに基づいて、図５の管理テーブルを参照する。参照の結果、当該シートＩＤに対応する針綴じ情報５０７のフィールドに×が格納されている場合は、針使用綴じ部２１４ａによる綴じ処理が許可されない種類のシートが設定されていると判断し、ステップＳ１１０３に進む。一方、針綴じ情報５０７のフィールドに○が格納されている場合は、針使用綴じ部２１４ａによる綴じ処理が許可されない種類のシートが設定されていないと判断し、ステップＳ１１０４に進む。また、印刷に使用するシートが未定の場合にも、許可されない種類のシートが設定されていないと判断し、ステップＳ１１０４に進む。
【０１０７】
ステップＳ１１０３では、ＣＰＵ１１１は、針使用綴じ処理及び針不使用綴じ処理を仕上げ設定の制限対象とすることを決定し、ステップＳ１００４に進む。
【０１０８】
なお、本実施形態では、図５の５０７及び５０８に示すように、針使用綴じ部２１４ａで綴じ処理が許可されない種類のシートは、針不使用綴じ部２１４ｂでも綴じ処理が許可されない。従って、ステップＳ１１０２の処理でＹｅｓの場合に、針不使用綴じ部２１４ｂによる綴じ処理に関する判定を行わず、いずれの綴じ処理についても制限対象にするようにしている。なお、針不使用綴じ部２１４ｂで綴じることが許可され、針使用綴じ部２１４ａで綴じることが許可されない種類のシートが存在する場合は、針不使用綴じ処理が許可されているか否かに関する判断を行うようにしてもよい。
【０１０９】
ステップＳ１１０４では、ＣＰＵ１１１は、針不使用綴じ部２１４ｂによる綴じ処理が許可されないシートが設定されているか否か判断する。ＣＰＵ１１１は、ステップＳ１１０１で取得したシートＩＤに対応する針なし綴じ情報５０８のフィールドに×が格納されている場合は、針不使用綴じ部２１４ａによる綴じ処理が許可されない種類のシートが設定されていると判断し、ステップＳ１１０５に進む。一方、針なし綴じ情報５０８のフィールドに○が格納されている場合は、針使用綴じ部２１４ａによる綴じ処理が許可されない種類のシートが設定されていないと判断し、ステップＳ１１０６に進む。また、印刷に使用するシートが未定の場合にも、許可されない種類のシートが設定されていないと判断し、ステップＳ１１０６に進む。
【０１１０】
ステップＳ１１０５では、ＣＰＵ１１１は、針不使用綴じ処理を設定の制限対象とすることを決定し、ステップＳ１００４に進む。
【０１１１】
ステップＳ１１０６では、ＣＰＵ１１１は、印刷に必要なシートの種類が複数設定されているか判断する。ステップＳ１１０１で複数のシートＩＤを取得した場合は、ステップＳ１１０７に進み、印刷に使用するシートが未定の場合や、ステップＳ１１０１で１つのシートＩＤを取得した場合は、綴じ処理を制限することなく、ステップＳ１００４に進む。
【０１１２】
一方、ステップＳ１１０７では、ＣＰＵ１１１は、全てのシートの表面性及び坪量が同一であるか判断する。まず、ＣＰＵ１１１はステップＳ１１０１で取得した複数のシートＩＤの各々に基づいて坪量５０４及び表面性５０５の情報を取得する。ＣＰＵ１１１は、各々の坪量の情報と表面性の情報を比較する。比較の結果、坪量が異なるものや、表面性が異なるものが混在している場合はステップＳ１１０５に進み、針不使用綴じ処理を制限する。一方、比較の結果、各々の坪量及び表面性が同じであれば、綴じ処理を制限することなく、ステップＳ１００４に進む。
【０１１３】
以上説明したように、ステップＳ１００３では、綴じ処理の設定の前に綴じ処理に関する設定を制限するか否かのチェックを行う。この処理により、印刷に必要となるシートの種類に応じて、適宜綴じ処理の設定を制限することができる。また、表面性及び坪量が同一でないシートの種類が混在している場合に、針不使用綴じ処理の設定を制限することができる。
【０１１４】
なお、本実施形態のステップＳ１１０７では、表面性及び坪量を比較する場合を例示したがこれに限定されるものではない。本実施形態における針不使用綴じ部２１４ｂの締結原理は、図４で説明したように、シートに圧力をかけ、各シートの表面を形成している繊維を毛羽立たせ、当該繊維を絡ませて綴じるものである。従って、各シートの表面性の影響を受けやすい。これを鑑みて、シートの種類が混在している場合に、影響が大きい表面性に関する情報のみを比較するようにしてもよい。一方、より詳細にシートの性質を比較するようにしてもよい。例えば、図５の管理テーブルとして、締結力に対する影響が大きい他の項目を追加し、それらについても考慮するようにしてもよい。例えば、シートの厚さ、シートの引張剛性、曲げ剛性などの情報を考慮するようにしてもよい。
【０１１５】
また、坪量など数値の情報を比較する場合は、所定の範囲内の違いであれば、同一であると判断するようにしてもよい。例えば、坪量の場合、５ｇ／ｍ２程度の違いであれば、同一であると判断するようにすることもできる。又、本実施形態では、表面性を比較する場合に、近い種類の表面性であれば、同一であると判断するようにしてもよい。例えば、表面に塗料が塗布されていない汎用のシートに対して、上質紙、セミ上質紙、中質紙など、更に分類がなされている場合、上質紙とセミ上質紙などの表面性を同一であると判断するようにすることもできる。
【０１１６】
次に、ステップＳ１００７及びステップＳ１０１１で実行されるシート設定前のチェック処理について、図１２のフローチャートを用いて説明する。
【０１１７】
ステップＳ１２０１では、ＣＰＵ１１１は、カセットごとに対応づけられたシートＩＤを取得する。
【０１１８】
ステップＳ１２０２では、ＣＰＵ１１１は、コピー設定として針使用綴じ処理が設定されているか否かを判断する。針使用綴じ処理が指定されている場合はステップＳ１２０３に進む。一方、針使用綴じ処理が指定されていない場合は、ステップＳ１２０４に進む。
【０１１９】
ステップＳ１２０３では、ＣＰＵ１１１は、針使用綴じ処理が許可されない種類のシートが保持された給紙カセットを設定の制限対象とすることを決定し、ステップＳ１００４に進む。具体的には、ＣＰＵ１１１は、ステップＳ１２０１で取得したシートＩＤに基づいて図５の管理テーブルを参照する。参照の結果、当該シートＩＤに対応する針綴じ情報５０７のフィールドに×が格納されている場合は、当該シートＩＤのシートを保持しているカセットを設定の制限対象として、シート設定前のチェックを終了する。チェックが終了すると、図１０のフローチャート（Ｓ１００８又はＳ１０１２）に進む。
【０１２０】
図８で例示した種類のシートがカセットに格納されている場合を例にして説明すると、どのカセットにも針使用綴じ処理が許可されない（×が格納されている）シートはないため限定対象となるカセットはない。この場合、ステップＳ１００９又はステップＳ１０１３で印刷に使用するシートの選択を受け付ける際に、いずれのカセットも選択できるようになる。
【０１２１】
一方、ステップＳ１２０４では、ＣＰＵ１１１は、コピー設定として針不使用綴じ処理が指定されているか否かを判断する。針不使用綴じ処理が指定されている場合は、ステップＳ１２０５に進む。一方、針不使用綴じ処理が指定されていない場合は、いずれのカセットについても設定の制限対象とすることなく、シート設定前のチェックを終了し、ステップＳ１００７に進む。
【０１２２】
ステップＳ１２０５では、ＣＰＵ１１１は、針不使用綴じ処理が許可されない種類のシートが保持された給紙カセットを設定の制限対象とすることを決定し、ステップＳ１００４に進む。具体的には、ＣＰＵ１１１は、ステップＳ１２０１で取得したシートＩＤに基づいて図５の管理テーブルを参照する。参照の結果、当該シートＩＤに対応する針なし綴じ情報５０８のフィールドに×が格納されている場合は、当該シートＩＤのシートを保持しているカセットを設定の制限対象として決定する。
【０１２３】
なお、ステップＳ１２０５の処理は、そもそも針不使用綴じ処理が許可されない種類のシートが設定されないように制御する処理である。例えば、図８で例示した種類のシートがカセットに保持されている場合を例にして説明すると、どのカセットにも針不使用綴じ処理が許可されない（×が格納されている）シートはないため限定対象となるカセットはない。
【０１２４】
ステップＳ１２０６では、ＣＰＵ１１１は、印刷設定として印刷に使用するシートの種類が１つ以上設定されているか判断する。印刷に使用するシートが１つ以上設定されている場合は、ステップＳ１２０７に進む。一方、印刷に使用するシートが指定されていない場合は、シート設定前のチェックを終了しステップＳ１００７に進む。
【０１２５】
ステップＳ１２０７では、ＣＰＵ１１１は、ステップＳ１２０５で制限対象とならない給紙カセットの中から、更に、印刷に使用するシートと表面性又は坪量が同一でない種類のシートが保持された給紙カセットを設定の制限対象とすることを決定する。具体的には、ＣＰＵ１１１は、印刷に使用するシートの種類に対応するシートＩＤに基づいて、図５の管理テーブルを参照し、坪量５０４及び表面性５０５の情報を取得する。
【０１２６】
ＣＰＵ１１１は、印刷に設定されたシートの坪量及び表面性の情報と、Ｓ１２０５で制限対象とされなかった給紙カセットに保持されているシートの坪量及び表面性の情報とを比較する。
比較の結果、坪量が異なるものや、表面性が異なるシートを保持しているカセットを、更に制限対象として決定する。例えば、印刷に使用するシートの種類として、普通紙１（８０〜９４ｇ／ｍ２）が既に設定されている場合は、印刷に設定されたシートの坪量は、９０ｇ／ｍ２）、表面性は上質紙である。この場合、表面性は同じ上質紙であるが、坪量が異なる薄紙１が保持されたカセットは制限対象となる。また、坪量は同じ９０ｇ／ｍ２であるが、表面性が異なる再生紙１が保持されたカセットについても制限対象となる。
【０１２７】
以上説明したように、ステップＳ１００７及びＳ１０１１では、印刷に使用するシートを設定する前に、綴じ処理の種類と既に設定された印刷に使用するシートの設定に基づいて、制限対象とするべきカセットをチェックする。この処理により、印刷設定として針不使用綴じ処理が設定されている場合に、印刷に使用するシートとして、表面性及び坪量が同一でないシートの種類が混在しないように制御することができる。なお、図１０のフローチャートを用いて説明したシート設定の変更や表紙設定の変更では、１つの種類のシートを設定する場合を例示したが、これに限定されるものではない。例えば、Ｓ１００８のシート設定画面やＳ１０１２の表紙設定画面を介して、印刷に使用するシートの種類を複数選択できるようにしてもよい。この場合、ＣＰＵ１１１は、Ｓ１００７やＳ１０１１に例示した設定前のチェックに加えて、設定の受け付け時や設定の適用時などに、坪量又は表面性が異なるか否かを判断し、異なる場合は、当該設定を受け付けないように制御すればよい。
【０１２８】
なお、本実施形態のステップＳ１２０６では、表面性及び坪量を比較する場合を例示したがこれに限定されるものではない。本実施形態における針不使用綴じ部２１４ｂの締結原理は、前述したようにシートの表面性の影響を受けやすい。これを鑑みて、シートの種類が混在している場合に、影響が大きい表面性に関する情報のみを比較するようにしてもよい。一方、より詳細にシートの性質を比較するようにしてもよい。例えば、図５の管理テーブルとして、締結力に対する影響が大きい他の項目を追加し、それらについても考慮するようにしてもよい。例えば、シートの厚さ、シートの引張剛性、曲げ剛性などの情報を考慮するようにしてもよい。また、坪量など数値の情報を比較する場合は、所定の範囲内の違いであれば、同一であると判断するようにしてもよい。例えば、坪量の場合、５ｇ／ｍ２程度の違いであれば、同一であると判断するようにすることもできる。又、本実施形態では、表面性を比較する場合に、近い種類の表面性であれば、同一であると判断するようにしてもよい。例えば、表面に塗料が塗布されていない汎用のシートに対して、上質紙、セミ上質紙、中質紙など、更に分類がなされている場合、上質紙とセミ上質紙などの表面性を同一であると判断するようにすることもできる。
【０１２９】
なお、本実施形態では、印刷に使用するシートの種類を設定する方法の一例として、表紙設定と印刷本文に対するシート設定について説明したが、これに限定されるものではない。例えば、合紙や仕切り紙などを設定する場合にも印刷に必要なシートの設定を行うことになる。この場合、印刷に使用するシートの種類の設定が必要な、何かしらの機能に関する設定を受け付ける前に、ステップＳ１００７と同様のシート設定前のチェック処理を行うようにすればよい。
【０１３０】
以上説明したように本実施形態では、コピー処理の設定を受け付ける際に、適切な排他処理を行う。従って、印刷に使用するシートの種類の設定と、綴じ処理の設定の組み合わせにおいて、綴じ不良が発生する設定を受け付けないように制御することができる。
【０１３１】
なお、本実施形態ではコピーの設定を例として、綴じ不良が発生する設定を受け付けないように制御する場合を例示したが、これに限定されるものではない。例えば、ＰＣ１０２にインストールされているプリンタドライバにより印刷設定を行う場合にも適用できる。
【０１３２】
＜第２の実施形態＞
第１の実施形態では、綴じ不良が発生する設定を受け付けないように設定の受け付けを制御することについて説明した。第２の実施形態では、ＭＦＰ１０１が外部装置から受信した印刷データに基づいた印刷を行う場合に、綴じ不良が発生するシート束に対して綴じ処理が行われないように制御することについて説明する。また、針不使用綴じ処理が指定され、且つ、針不使用綴じ処理が許可されるシートが混在する印刷データに基づいた印刷を行う場合に、締結力への影響が大きい項目（シート属性）が異なる場合は、綴じ処理が行われないように制御することについて説明する。
【０１３３】
第２の実施形態において、前提となる装置のハードウェア構成は第１の実施形態と同様である。第１の実施形態と同様の構成については、詳細な説明は省略する。
【０１３４】
図１３（ａ）、（ｂ）は、本実施形態における印刷データの一例を示すものであり、図１３（ａ）は印刷データのフォーマットを示すものである。本実施形態においては、印刷データのフォーマットとしてＪＤＦ（Ｊｏｂ  Ｄｅｆｉｎｉｔｉｏｎ  Ｆｏｒｍａｔ）形式を用いた場合を例として説明する。
【０１３５】
ＪＤＦ形式の印刷データは３つのパートで構成されている。ＪＭＦ（Ｊｏｂ  Ｍｅｓｓａｇｉｎｇ  Ｆｏｒｍａｔ）１３０１は、ＪＤＦで連携されたワークフローにおいて、作業の進捗状況やジョブ仕様の変更情報などを印刷処理システム間で通信するためのメッセージコマンドが格納される領域である。本実施形態においては、ＭＦＰ１０１が受信した印刷データをどのように処理するかのコマンドが格納されている。例えば、受信した印刷データを解析して印刷を開始する旨のコマンド又は一旦ストレージ１１４に留め置いて、オペレータの操作を介して印刷を行う旨のコマンドなどが格納されている。
【０１３６】
ＪＤＦ１３０２は、印刷設定に関する情報を格納するデータ領域である。例えばＪＤＦ１３０２には、針使用綴じ処理や針不使用綴じ処理などの仕上げ処理の設定や、印刷に使用するシートの種類やシートのサイズ、印刷に使用するシートが保持されたカセットの種類などが格納されている。ＣＰＵ１１１は、後述するフローチャートにて、ＪＤＦ１３０２に格納された情報を解析して印刷の設定情報をＲＡＭ１１３又はストレージ１１４に記憶し、各種印刷制御を行う。
【０１３７】
また、ＰＤＬデータ１３０３は、印刷対象となるデータ（例えばＰＤＦ（Ｐｏｒｔａｂｌｅ  Ｄｏｃｕｍｅｎｔ  Ｆｏｒｍａｔ）形式やＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）形式のデータ）が格納されている領域である。
【０１３８】
図１３（ｂ）は、印刷データになされた印刷設定の例を示している。印刷データＡには、ページ１〜ページ４の印刷に使用するシートの種類として普通紙１が設定され、ページ５の印刷に使用するシートの種類として色紙が設定されている場合を例示している。また、仕上げ処理の設定として針不使用綴じ処理が設定されている場合を例示している。
【０１３９】
一方印刷データＢには、ページ１、ページ３、ページ４の印刷に使用するシートの種類として、普通紙１が設定され、ページ２の印刷に使用するシートの種類として再生紙１が設定されている場合を例示している。また、ページ５の印刷に使用するシートの種類として、色紙が設定されている場合を例示している。また、仕上げ処理の設定として針不使用綴じ処理が設定されている場合を例示している。
【０１４０】
なお、図１３（ｂ）では、印刷に使用するシートの種類を指定した印刷データを例示したがこれに限定されるものではない。シートが保持されている給紙カセットを指定して、印刷に使用するシートを決定するようにしてもよい。
【０１４１】
図１３（ｂ）に示すような印刷データは、ＰＣ１０２などの外部装置の印刷データを生成するアプリケーションなどで生成される。従って、印刷に使用するシートの種類の設定と、綴じ処理の設定の組み合わせにより、綴じ不良が発生するような設定がなされた印刷データを受信する場合がある。
【０１４２】
ＭＦＰ１０１は、綴じ不良が発生するような設定がなされた印刷データを受信して印刷する場合に、綴じ不良が発生するシート束に対して綴じ処理が行われないように印刷処理を実行する。
【０１４３】
図１４は、ＭＦＰ１０１による印刷データに基づく印刷処理を示すフローチャートである。図１４に示すフローチャートの各動作（ステップ）は、ＣＰＵ１１１がＲＯＭ１１２又はストレージ１１４に記憶された制御プログラムをＲＡＭ１１３に読み出し、実行することにより実現される。ＣＰＵ１１１は、ＰＣ１０２やプリントサーバ（不図示）などから印刷データを受信すると、図１４に示すフローチャートに対応する制御プログラムを実行する。
【０１４４】
ステップＳ１４０１では、ＣＰＵ１１１は、ＰＣ１０２やプリントサーバ（不図示）などの情報処理装置から送信された印刷データを受信する。ＭＦＰ１０１が受信した印刷データは、ストレージ１１４又はＲＡＭ１１３に一時的に格納される。
【０１４５】
ステップＳ１４０２では、ＣＰＵ１１１は、ステップＳ１４０１で受信した印刷データのＪＤＦパートを解析し、印刷データの印刷設定及び仕上げ処理の設定を解析する。ＣＰＵ１１１は、印刷データを解析して得られた印刷設定及び仕上げ処理の設定をＲＡＭ１１３に格納する。ＲＡＭ１１３に格納された印刷設定及び仕上げ処理の設定は後述するステップで適宜参照される。
【０１４６】
ステップＳ１４０４では、ＣＰＵ１１１は、印刷データの印刷設定に基づいて、印刷に必要なシートの種類を決定する。ＣＰＵ１１１は、印刷設定として印刷に使用するシートの種類が指定されている場合は、当該シートの種類に対応するシートＩＤをＲＡＭ１１３に一時的に格納する。一方、印刷設定としてカセットが指定されている場合は、当該カセットが保持するシートの種類に対応するシートＩＤをＲＡＭ１１３に一時的に格納する。
【０１４７】
また、印刷設定として、印刷に使用するシートの種類や印刷に使用するカセットが設定されていない場合は、ＣＰＵ１１１は、印刷サイズ等に基づいて、印刷に使用するシートの種類を自動的に決定するＡＰＳを実行し、印刷に使用するシートの種類を決定する。なお、印刷に必要なシートの種類が複数ある場合は、複数のシートＩＤを格納するものとする。
【０１４８】
ステップＳ１４０５では、ＣＰＵ１１１は、印刷データの仕上げ処理の設定として、針不使用綴じ処理が設定されているか否かを判断する。針不使用綴じ処理が設定されている場合は、ステップＳ１４０７に進み、設定されていない場合は、ステップＳ１４０６に進む。ステップＳ１４０６では、ＣＰＵ１１１は、印刷データの仕上げ処理の設定として、針使用綴じ処理が設定されているか否かを判断する。針使用綴じ処理が設定されている場合は、ステップＳ１４０９に進み、針使用綴じ処理が設定されていない場合は、ステップＳ１４１０に進む。
【０１４９】
ステップＳ１４０７では、ＣＰＵ１１１は、複数の種類のシートを使用する印刷であるか判断する。具体的には、ＣＰＵ１１１は、ＲＡＭ１１３に印刷に必要なシートとして複数のシートＩＤが格納されている場合に、複数の種類のシートを使用する印刷であると判断し、ステップＳ１４０８に進む。一方、印刷に必要なシートとして１つのシートＩＤが格納されている場合には、ステップＳ１４０８の処理をスキップし、ステップＳ１４０９に進む。
【０１５０】
ステップＳ１４０８では、印刷に必要な全てのシートの表面性及び坪量が同じであるか判断する。まず、ＣＰＵ１１１はステップＳ１４０４で取得した複数のシートＩＤの各々に基づいて図５の管理テーブルを参照し、坪量５０４及び表面性５０５の情報を取得する。ＣＰＵ１１１は、各々の坪量の情報と表面性の情報を比較する。比較の結果、坪量が異なるものや、表面性が異なるものが混在している場合はステップＳ１４１２に進む。一方、比較の結果、各々の坪量及び表面性が同じであれば、ステップＳ１４０９に進む。
【０１５１】
なお、ステップＳ１４０７及びステップＳ１４０８の処理は、印刷データの仕上げ処理として針不使用綴じ処理が設定された場合に、表面性及び坪量の少なくともどちらかが同一でないシートに対して当該綴じ処理が行われないようにするための処理である。
【０１５２】
例えば図１３（ｂ）に示す印刷データＡの場合、印刷に使用する種類のシートの全てが同じ坪量及び表面性であるため、ステップＳ１４０９に進むことになる。一方で、印刷データＢの場合、普通紙１と再生紙１で表面性が異なるため、ステップＳ１４１２に進み、印刷データに基づく印刷のキャンセル処理を行うことになる。
【０１５３】
ステップＳ１４０９では、ＣＰＵ１１１は、印刷データに設定された綴じ処理で綴じることが許可されない種類のシートが印刷に必要なシートに含まれているか否かを判断する。ＣＰＵ１１１は、ステップＳ１４０４で取得したシートＩＤに基づいて図５の管理テーブルを参照する。印刷データに針不使用綴じ処理が設定されている場合、以下の処理を行う。ＣＰＵ１１１は、シートＩＤに対応する針なし綴じ情報５０８のフィールドに×が格納されている場合に、綴じることが許可されない種類のシートが含まれていると判断し、ステップＳ１４１２に進む。一方、全てのシートＩＤに対応する針なし綴じ情報５０８のフィールドに○が格納されている場合には、綴じることが許可されない種類のシートが含まれていないと判断して、ステップＳ１４１０に進む。また、印刷データの設定として針使用綴じ処理が設定されている場合は、針綴じ情報５０７のフィールドを参照して同様の判断を行う。いずれかのシートＩＤに対応する針綴じ情報５０７のフィールドに×が格納されていれば、ステップＳ１４１２に進み、全てのシートＩＤに対応する針綴じ情報５０７のフィールドに○が格納されていれば、ステップＳ１４１０に進む。
【０１５４】
ステップＳ１４１０では、ＣＰＵ１１１は、印刷設定に基づいた印刷処理を行う。ＣＰＵ１１１は、印刷データに基づいて中間コードを生成する。また、ＲＩＰ１２５は、印刷設定に基づいて中間コードから印刷に使用する画像を生成する。ＣＰＵ１１１は、印刷部１２０を制御して、印刷に必要な種類のシートが保持されたカセットからシートを給送させ、当該シートに生成した画像を印刷する。また、ＣＰＵ１１１は、印刷部１２０で画像が印刷されたシートを中間トレイ２０８に搬送するように各種搬送ローラやフラッパ等を制御する。全てのシートの印刷が完了するとステップＳ１４１１に進む。
【０１５５】
ステップＳ１４１１では、ＣＰＵ１１１は、シート処理部１２２を制御し、シート束への後処理を実行する。次に、ＣＰＵ１１１は、綴じ処理が行われたシートを排出トレイ２０４に排出する。なお、印刷設定として後処理が設定されていない場合は、後処理を実行せずに、トレイ２０４にシート束を排出する。
【０１５６】
一方、ステップＳ１４１２では、ＣＰＵ１１１は、印刷データに基づく印刷をキャンセルする。なお、本実施形態では、綴じ不良が発生するシート束に対して綴じ処理が行わない制御の一例として印刷のキャンセルを例示しているがこれに限定されるものではない。例えば、綴じ処理を行わないように設定を変更し、ステップＳ１４１０の印刷処理に進むようにしてもよい。この場合、操作部１１６に表示する画面に所定の通知を行う。通知の一例としては「綴じ不良が発生する恐れがあるため、綴じずに出力しています」などの通知を行うようにする。なお、印刷をキャンセルするか、綴じずに出力するかをユーザに選択させ、処理を切り替えるようにしてもよい。
【０１５７】
なお、本実施形態のステップＳ１４０８では、表面性及び坪量を比較する場合を例示したがこれに限定されるものではない。本実施形態における針不使用綴じ部２１４ｂの締結原理は、前述したようにシートの表面性の影響を受けやすい。これを鑑みて、シートの種類が混在している場合に、影響が大きい表面性に関する情報のみを比較するようにしてもよい。一方、より詳細にシートの性質を比較するようにしてもよい。例えば、図５の管理テーブルとして、締結力に対する影響が大きい他の項目を追加し、それらについても考慮するようにしてもよい。例えば、シートの厚さ、シートの引張剛性、曲げ剛性などの情報を考慮するようにしてもよい。また、坪量など数値の情報を比較する場合は、所定の範囲内の違いであれば、同一であると判断するようにしてもよい。例えば、坪量の場合、５ｇ／ｍ２程度の違いであれば、同一であると判断するようにすることもできる。又、表面性を比較する場合に、近い種類の表面性であれば、同一であると判断するようにしてもよい。例えば、表面に塗料が塗布されていない汎用のシートに対して、上質紙、セミ上質紙、中質紙など、更に分類がなされている場合、上質紙とセミ上質紙などの表面性を同一であると判断するようにすることもできる。
【０１５８】
以上説明したように、本実施形態では、綴じ不良が発生するような設定がなされた印刷データを受信して印刷する場合に、綴じ不良が発生するシート束に対して綴じ処理が行われることを抑制することができる。この制御により、針不使用綴じ処理が指定され、且つ、複数の種類のシートが混在する印刷データに基づいた印刷を行う場合に、少なくともシートの表面性に関する属性が異なる場合は、針不使用綴じ処理が行われないようにすることができる。従って、針不使用綴じ部２１４ｂにより綴じ不良が発生することを抑制することができる。
【０１５９】
＜第３の実施形態＞
第１の実施形態及び第２の実施形態では、シートの種類が混在している場合にシートの表面性及び坪量の属性を比較して針不使用綴じ処理を行うことを許可するか否かを判断することについて説明した。
【０１６０】
第３の実施形態では、針不使用綴じ処理できるシートの中で、混在を認めるシートの組み合わせを予め設定できるようにし、当該設定に基づいて針不使用綴じ処理を行うことを許可するか否かを判断することについて説明する。
【０１６１】
第３の実施形態において、前提となる装置のハードウェア構成は第１の実施形態と同様である。第１の実施形態と同様の構成については、詳細な説明は省略する。また、第３の実施形態では、第２の実施形態と同様に外部装置から印刷データを受信して印刷を行う場合の制御を例として説明する。
【０１６２】
まず、シートを構成する素材と、シート同士の締結力について更に説明する。第１の実施形態で説明した管理テーブルで管理されるシートの表面性や坪量などの情報は、主に印刷部１２０による印刷品質や、シートを搬送する際の搬送速度などを適切に調整するために用いられる情報である。たしかに、表面性や坪量が同じシートであれば、各々のシートへの圧力のかかり方や引き延ばされ方は均一に近く、適切な締結力で綴じることができる。
【０１６３】
しかしながら、締結力に影響を与えるシートの特性は表面性や坪量だけではなく、他の要因によっても変化する。例えば、ＭＦＰ１０１などの印刷装置で使用されるシートには、平滑度、白色度、印刷適性などを高めるための填料（シリカ、炭酸カルシウムなど）が添加されている。このような、シートの製造過程で添加される填料などの添加物の種類や量によっては、同じ坪量や表面性のシートであっても繊維が絡みにくくなることがある。
【０１６４】
一方、違う坪量や表面性のシートであっても、パルプ繊維の長さや密度、すき目の方向（繊維配向）、また、シートの製造工程での叩解の程度、及び、前述した添加物の種類や量などの組み合わせによっては、シートの繊維同士が絡みやすい場合がある。更に、坪量や表面性が異なったとしても、引張剛性、曲げ剛性、摩擦係数などの力学的特性が似ている場合はシートの繊維同士が絡みやすい場合がある。
【０１６５】
これら様々なシートの特性が影響しあい、繊維が絡みやすい組み合わせと、繊維が絡みにくい組み合わせが存在すると考えられる。
【０１６６】
これを鑑みて本実施形態では、混在が許可されるシートの組み合わせを予めＭＦＰ１０１に設定できるようにし、当該設定に基づいて綴じ処理の判断を行うことについて説明する。
【０１６７】
図１５は、第１の実施形態における図５の管理テーブルに代わり、第３の実施形態で用いる管理テーブルの一例を示している。図１５の管理テーブルはＭＦＰ１０１のストレージ１１４又はＲＡＭ１１３に格納されている。本実施形態の管理テーブルは、図５の管理テーブルの各フィールドに加えて、針不使用綴じ処理に関するグループ情報１５０１のフィールドが追加される。
【０１６８】
グループ情報１５０１において、同じ数字が格納されている種類のシートは、針不使用綴じ処理で混在が許可される組み合わせを示している。図１５では、普通紙１、色紙、再生紙１、パンチ済み紙１が同じグループ１に属するように予め設定されている場合を示している。また、再生紙１、カスタム用紙１０が同じグループ２に属するように設定され、薄紙１、カスタム用紙１０が同じグループ３に属するように設定されている場合を示している。また、カスタム用紙９は、グループ４に属するように設定されている場合を示している。
【０１６９】
本実施形態では、これらのグループの設定は、出荷時に予め初期値が格納されているものとする。これらの初期値は、例えばＭＦＰ１０１で印刷を保証しているシート（例えば、メーカー推奨用紙など）を使用して、予め締結力の強度テストを行い、所定の締結力以上となる組み合わせが予め求められているものとする。
【０１７０】
更に、これらのグループの設定は管理者やユーザによって変更可能としてもよい。これは、例えば、同じ普通紙という名称且つ、同じ坪量や厚さで流通しているコピー用紙であっても、メーカーが使用を保証している普通紙とは、シートの素材や製造工程の違いにより、性質が異なる場合があるためである。例えば、シートを構成するパルプ繊維の長さや密度、すき目の方向（繊維配向）、また、シートの製造工程での叩解の程度、及び、前述した添加物の種類や量などが異なることが考えられる。従ってユーザが実際の環境で使用するシートの特性により適宜、混在が許可されるシートの組み合わせを変更できるように構成するようにしてもよい。この場合、グループ設定の変更は、操作部１１６を介した設定画面を介して行うことができるものとする（不図示）。
【０１７１】
図１６は、ＭＦＰ１０１による印刷データに基づく印刷処理を示すフローチャートである。図１６に示すフローチャートの各動作（ステップ）は、ＣＰＵ１１１がＲＯＭ１１２又はストレージ１１４に記憶された制御プログラムをＲＡＭ１１３に読み出し、実行することにより実現される。ＣＰＵ１１１は、ＰＣ１０２やプリントサーバ（不図示）などから印刷データを受信すると、図１６に示すフローチャートに対応する制御プログラムを実行する。
【０１７２】
なお、図１６に示すフローチャートは図１４に示す第２の実施形態におけるフローチャートに代わるフローチャートである。ステップＳ１６０１乃至ステップＳ１６０７に示すステップは、第２の実施形態におけるステップＳ１４０１乃至ステップＳ１４０７に示すステップと同様の処理を行うものとする。本実施形態では、第１の実施形態におけるステップＳ１４０８の判断に代えて、ステップＳ１６１３の判断を行うものとする。
【０１７３】
ステップＳ１６１３では、ＣＰＵ１１１は、ステップＳ１６０４で決定した印刷に必要なシートの種類の全てが同じグループに属しているか否かを判断する。まず、ＣＰＵ１１１は、ステップＳ１６０４で決定したシートＩＤに基づいて図１５に示す管理テーブルを参照する。次に、ＣＰＵ１１１は全てのシートＩＤに対応する針なし綴じグループ情報１５０１のフィールドに同じグループ名が含まれている場合は、印刷に必要なシートの種類の全てが同じグループに属していると判断し、ステップＳ１６０９に進む。一方、同じグループ名に属さないシートＩＤが混在している場合は、ステップＳ１６１２に進む。
【０１７４】
例えば、図１３（ｂ）に示した印刷データＡの場合は、普通紙１と色紙が同じグループ１に属しているため、ステップＳ１６０９に進み印刷処理を行うことになる。また、印刷データＢの場合も、普通紙１、再生紙１、色紙が同じグループ１に属しているためステップＳ１６０９に進み印刷処理を行うことになる。一方で、普通紙１と、カスタム用紙１０が混在するような印刷データ（不図示）の場合は、普通紙１とカスタム用紙１０が同じグループに属していないため、ステップＳ１６１２に進み、ジョブをキャンセルすることになる。
【０１７５】
ステップＳ１６０９乃至ステップＳ１６１２に示すステップは、第２の実施形態におけるステップＳ１４０９乃至ステップＳ１４１２に示すステップと同様の処理を行うものとする。
【０１７６】
なお、本実施形態では、第２の実施形態と同様に外部装置から印刷データを受信して印刷を行う場合の制御を例として説明したが、これに限定されるものではない。例えば、混在が許可されるシートの組み合わせを設定できるようにし、当該組み合わせの設定に基づいて綴じ処理に関する判断を行う制御を、第１の実施形態に適用することもできる。
【０１７７】
この場合、図１１に示した綴じ設定前のチェックにおけるステップＳ１１０７の判断に代えて、ステップＳ１５１２に示す全てのシートが同じグループに属しているか否かの判断を行うようにすればよい。また、図１２に示したシート設定前のチェックにおけるステップＳ１２０７の処理において、制限対象でないカセットの中から、更に、印刷に使用するシートと同じグループに属していないシートが保持されているカセットを制限対象とするようにすればよい。
【０１７８】
以上説明したように、本実施形態では、綴じ不良が発生するような設定がなされた印刷データを受信して印刷する場合に、綴じ不良が発生するシート束に対して綴じ処理が行われないように印刷処理を実行することができる。この制御により、針不使用綴じ処理が許可されるシートが混在する印刷データに基づいた印刷を行う場合に、予め設定された許可される種類の組み合わせの場合に、針不使用綴じ処理を行うようにすることができる。また、予め設定された許可される種類の組み合わせでない場合には、針不使用綴じ処理が行われないようにすることができる。
【０１７９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１８０】
１０１  印刷装置
１０２  情報処理装置
１１１  ＣＰＵ
１１０  制御部
１２２  シート処理部
【図１】
2017074710.tif 000003
【図２】
2017074710.tif 000004
【図３】
2017074710.tif 000005
【図４】
2017074710.tif 000006
【図５】
2017074710.tif 000007
【図６】
2017074710.tif 000008
【図７】
2017074710.tif 000009
【図８】
2017074710.tif 000010
【図９】
2017074710.tif 000011
【図１０】
2017074710.tif 000012
【図１１】
2017074710.tif 000013
【図１２】
2017074710.tif 000014
【図１３】
2017074710.tif 000015
【図１４】
2017074710.tif 000016
【図１５】
2017074710.tif 000017
【図１６】
2017074710.tif 000018